(57)【要約】【課題】他の光ディスク装置との互換性を保ちつつ、光ディスクが挿入された場合に、この光ディスクに記録されたコンテンツデータの内容を迅速かつ正確に表示する。【解決手段】少なくともコンテンツ名称を独自コンテンツ情報として、ピックアップ３によって光ディスク１００のＰＣＡに記録させる独自コンテンツ記録制御手段１３ａと、光ディスク１００が挿入されたことを検出した場合に、ピックアップ３に光ディスクのＰＣＡに最後に記録されたデータを読み出させ、この読み出されたデータが独自コンテンツ情報であるか否かを判定する独自コンテンツ判定手段１３ｂと、独自コンテンツ判定手段１３ｂにより、読み出されたデータが独自コンテンツ情報であると判定された場合、独自コンテンツ情報を表示部１４に表示させる表示制御手段１３ｃと備える。【選択図】      図１
2009070447.tif 000002
【特許請求の範囲】
【請求項１】
コンテンツデータと前記コンテンツデータに関するコンテンツ管理情報とを含むデータを記録するデータエリアと、前記データを記録する際に用いるレーザパワーのキャリブレーションを行うためのパワーキャリブレーションエリアとを備え、前記パワーキャリブレーションエリアには、前記コンテンツ管理情報のうち少なくとも前記コンテンツデータのコンテンツ名称を含む独自コンテンツ情報が記録された光ディスクから、データ読み出し手段を用いて前記データを読み出させ、又はデータ記録手段を用いて前記光ディスクに前記データを記録させる光ディスク装置であって、
前記光ディスクを検出した場合に、前記データ読み出し手段を用いて前記光ディスクの前記パワーキャリブレーションエリアに最後に記録された情報を読み出させ、この読み出された情報が前記独自コンテンツ情報であるか否かを判定する独自コンテンツ判定手段と、
前記独自コンテンツ判定手段により、前記読み出された情報が前記独自コンテンツ情報であると判定された場合、前記独自コンテンツ情報を表示部に表示させる表示制御手段と、
を備えたことを特徴とする光ディスク装置。
【請求項２】
コンテンツデータと前記コンテンツデータに関するコンテンツ管理情報とを含むデータを記録するデータエリアと、前記データを記録する際に用いるレーザパワーのキャリブレーションを行うためのパワーキャリブレーションエリアとを備えた光ディスクから、データ読み出し手段を用いて前記データを読み出させ、又はデータ記録手段を用いて前記光ディスクに前記データを記録させる光ディスク装置であって、
前記データ読み出し手段を用いて前記光ディスクのデータエリアから前記コンテンツ管理情報を読み出させ、この読み出されたコンテンツ管理情報から少なくともコンテンツ名称を抽出し、この抽出したコンテンツ名称を含む情報を独自コンテンツ情報として生成し、この生成した独自コンテンツ情報をデータ記録手段を用いて前記光ディスクの前記パワーキャリブレーションエリアに記録させる独自コンテンツ記録制御手段
を備えたことを特徴とする光ディスク装置。
【請求項３】
前記光ディスクを検出した場合に、前記データ読み出し手段を用いて前記光ディスクの前記パワーキャリブレーションエリアに最後に記録された情報を読み出させ、この読み出された情報が前記独自コンテンツ情報であるか否かを判定する独自コンテンツ判定手段とを更に備え、
前記独自コンテンツ記録制御手段は、
前記独自コンテンツ判定手段により、前記読み出された情報が前記独自コンテンツ情報ではないと判定された場合に、前記データ読み出し手段を用いて前記光ディスクのデータエリアから前記コンテンツ管理情報を読み出させ、この読み出されたコンテンツ管理情報から少なくともコンテンツ名称を抽出して、この抽出したコンテンツ名称を含む情報を独自コンテンツ情報として生成し、この生成された独自コンテンツ情報を前記データ記録手段を用いて前記光ディスクの前記パワーキャリブレーションエリアに記録させる
ことを特徴とする請求項２記載の光ディスク装置。
【請求項４】
コンテンツデータと前記コンテンツデータに関するコンテンツ管理情報とを含むデータを記録するデータエリアと、前記データを記録する際に用いるレーザパワーのキャリブレーションを行うためのパワーキャリブレーションエリアとを備えた光ディスクから、データ読み出し手段を用いて前記データを読み出させ、又はデータ記録手段を用いて前記光ディスクに前記データを記録させる光ディスク装置であって、
前記データ読み出し手段を用いて前記光ディスクのデータエリアから前記コンテンツ管理情報を読み出させ、この読み出されたコンテンツ管理情報から少なくともコンテンツ名称を抽出して、抽出したコンテンツ名称を含む情報を独自コンテンツ情報として生成し、この生成した独自コンテンツ情報を前記データ記録手段を用いて前記光ディスクの前記パワーキャリブレーションエリアに記録させる独自コンテンツ記録制御手段と、
前記光ディスクを検出した場合に、前記データ読み出し手段を用いて前記光ディスクの前記パワーキャリブレーションエリアに最後に記録された情報を読み出させ、この読み出された情報が前記独自コンテンツ情報であるか否かを判定する独自コンテンツ判定手段と、
前記独自コンテンツ判定手段により、前記読み出された情報が前記独自コンテンツ情報であると判定された場合、前記独自コンテンツ情報を表示部に表示させる表示制御手段と、
を備えたことを特徴とする光ディスク装置。
【請求項５】
コンテンツデータと前記コンテンツデータに関するコンテンツ管理情報と含むデータを記録するデータエリアと、前記データを記録する際に用いるレーザパワーのキャリブレーションを行うためのパワーキャリブレーションエリアとを備え、前記パワーキャリブレーションエリアには、前記コンテンツ管理情報のうち少なくとも前記コンテンツデータのコンテンツ名称を含む独自コンテンツ情報が記録されている
ことを特徴とする光ディスク。
【発明の詳細な説明】
【技術分野】
【０００１】
本発明は、映像及び／又は音声に関するコンテンツデータを光ディスクに記録すると共に、光ディスクに記録されたコンテンツデータを再生する光ディスク装置、及びコンテンツデータが記録された光ディスクに関する。
【背景技術】
【０００２】
近年、映像及び／又は音声を含むコンテンツデータと、このコンテンツデータを管理するためのコンテンツ管理情報とを光ディスクに記録すると共に、この光ディスクに記録されたコンテンツ管理情報に基づいてコンテンツデータを再生し、その内容を表示部に表示させる光ディスク装置が普及している。
【０００３】
この光ディスク装置には、例えば、光ディスクとしてＤＶＤ（Digital Versatile Disc）が用いられ、装置に備えられたＤＶＤドライブにこのＤＶＤが挿入されると、この挿入されたＤＶＤからこのＤＶＤに関する各種フォーマット情報を認識した後、ＤＶＤに記録されたコンテンツ管理情報に基づいてコンテンツデータを再生し、その内容を表示部に表示させるＤＶＤ記録再生装置がある。
【０００４】
図５は、ＤＶＤにおける各種フォーマット情報を説明した図である。
【０００５】
図５に示すように、ＤＶＤのフォーマット情報は、物理フォーマット４０１、論理フォーマット４０２、及びアプリケーションフォーマット４０３の３層構造となっている。また、ＤＶＤに記録されるコンテンツデータの符号化フォーマットであるファイルフォーマット４０４には、ＭＰＥＧ２−ＰＳ（符号４０４ａ）、ＭＰＥＧ２−ＶＩＤＥＯ（符号４０４ｂ）、ＭＰＥＧ２−ＡＵＤＩＯ（符号４０４ｃ）、及びＡＣ３（符号４０４ｄ）等がある。
【０００６】
物理フォーマット４０１は、メディアの物理的な形状や特性を規定しており、ＤＶＤ−Ｒ（符号４０１ａ）、ＤＶＤ−ＲＷ（符号４０１ｂ）、ＤＶＤ−ＲＡＭ（符号４０１ｃ）等がある。
【０００７】
論理フォーマット４０２は、ＤＶＤに記録する際に使用するファイルシステムを規定しており、ＤＶＤのファイルシステムとしては一般的に、ＵＤＦ２．０が用いられている。
【０００８】
アプリケーションフォーマット４０３は、特定の使用用途を目的とした規定を詳しく定めたものであり、このアプリケーションフォーマット４０３は、論理フォーマット４０２や、ファイルフォーマット４０４、及びその他コンテンツデータのデータ形式等を規定している。アプリケーションフォーマット４０３には、ＤＶＤ−ＶＲ（符号４０３ａ）やＤＶＤ−Ｖｉｄｅｏ（符号４０３ｂ）等がある。
【０００９】
また、コンテンツ管理情報は、このアプリケーションフォーマットに依存したコンテンツに関する情報としてＤＶＤに記録されており、コンテンツデータのコンテンツ名称、コンテンツデータの再生所要時間、及びコンテンツデータが記録された日時等コンテンツデータの内容に関する情報の他、特殊再生で使用される映像音声の０．５秒単位の論理位置情報等のコンテンツデータを管理するための情報を含んでいる。
【００１０】
ＤＶＤ記録再生装置は、ＤＶＤドライブにＤＶＤが挿入されると、この挿入されたＤＶＤから図５において説明した物理フォーマット４０１を特定し、論理フォーマット４０２が適正となるアプリケーションフォーマット４０３を選択し、これらに応じて、ＤＶＤに記録されたコンテンツ管理情報を読み込み、読み込んだコンテンツ管理情報に基づいてコンテンツデータを再生し、その内容を表示部に表示させる。
【００１１】
しかしながら、従来のＤＶＤ記録再生装置では、これら一連の処理を行った上で、読み込んだコンテンツ管理情報に基づいてコンテンツデータを再生し、その内容を表示部に表示させるので、コンテンツデータの内容を表示部に表示させるまでに、数十秒を要していた。このように、コンテンツデータの内容の表示までに数十秒を要すると、利用者は、沢山のＤＶＤの中から視聴したいＤＶＤを探したい場合、ＤＶＤ記録再生装置にＤＶＤの挿入及び取り出し作業を何度も繰り返すので、目的のＤＶＤを探し出すまで長時間を要しストレスを感じる。
【００１２】
そこで、ＤＶＤドライブにＤＶＤが挿入されたときに、この挿入されたＤＶＤに記録されているコンテンツ管理情報を内蔵のハードディスクに記録しておき、ＤＶＤが取り出された後にも、このハードディスクに記録されたコンテンツ管理情報に基づいて、ＤＶＤに記録されているコンテンツデータの内容を表示部に表示させるライブラリ機能を有するＤＶＤ記録再生装置が知られている。
【００１３】
一方、特許文献１には、記録メディアにデータを記録する場合に、良好な記録品質を得るため、記録前に、その光ディスクのＰＣＡ（パワーキャリブレーションエリア）にセクタ毎に異なる記録パワーで試し書きを行い、その結果に基づいて記録パルス長を補正する光情報記録再生装置が提案されている。
【特許文献１】特開２００１−１２６２５４号公報
【発明の開示】
【発明が解決しようとする課題】
【００１４】
しかしながら、上述したライブラリ機能を有するＤＶＤ記録再生装置では、内蔵のハードディスクにコンテンツ管理情報を記録するので、例えば、第１のライブラリ機能付きＤＶＤ記録再生装置によりコンテンツ管理情報が記録されたＤＶＤに、第２のライブラリ機能付きＤＶＤ記録再生装置がコンテンツ管理情報を追記した場合、このＤＶＤに記録されているコンテンツ管理情報と、第１のライブラリ機能付きＤＶＤ記録再生装置のハードディスクに記録されたコンテンツ管理情報との間で不整合が生じてしまう。そのため、利用者は第１のライブラリ機能付きＤＶＤ記録再生装置から、正確なコンテンツデータの内容を把握することができなかった。
【００１５】
また、ＤＶＤのデータ記録領域内に特定データ記録領域を設け、この特定データ記録領域にコンテンツ管理情報を記録させる特定データ記録機能付きＤＶＤ記録再生装置も考えられる。しかしながら、この特定データ記録機能付きＤＶＤ記録再生装置では、他のＤＶＤ記録再生装置との互換性が低かった。例えば、特定データ記録機能付きＤＶＤ記録再生装置によりコンテンツ管理情報が記録されたＤＶＤは、他のＤＶＤ記録再生装置によりコンテンツデータでコンテンツ管理情報が上書きされてしまう場合があった。また、特定データ記録機能付きＤＶＤ記録再生装置が、特定データ記録領域にコンテンツ管理情報を記録する際、既に他のＤＶＤ記録再生装置により特定データ記録領域にコンテンツデータが記録されているために、コンテンツ管理情報を記録できない場合もあった。そのため、利用者は正確なコンテンツデータの内容を把握することができなかった。
【００１６】
本発明は、上記課題に鑑みてなされたものであり、他の光ディスク装置との互換性を保ちつつ、光ディスクが挿入された場合に、この光ディスクに記録されたコンテンツデータの内容を迅速かつ正確に表示することが可能な光ディスク装置、及び光ディスクを提供することを目的とする。
【課題を解決するための手段】
【００１７】
上記目的を達成するため、本発明に係る光ディスク装置の第１の特徴は、コンテンツデータとコンテンツデータに関するコンテンツ管理情報とを含むデータを記録するデータエリアと、データを記録する際に用いるレーザパワーのキャリブレーションを行うためのパワーキャリブレーションエリアとを備え、パワーキャリブレーションエリアには、コンテンツ管理情報のうち少なくともコンテンツデータのコンテンツ名称を含む独自コンテンツ情報が記録された光ディスクから、データ読み出し手段を用いてデータを読み出させ、又はデータ記録手段を用いて光ディスクにデータを記録させる光ディスク装置であって、光ディスクを検出した場合に、データ読み出し手段を用いて光ディスクのパワーキャリブレーションエリアに最後に記録された情報を読み出させ、この読み出された情報が独自コンテンツ情報であるか否かを判定する独自コンテンツ判定手段と、独自コンテンツ判定手段により、読み出された情報が独自コンテンツ情報であると判定された場合、独自コンテンツ情報を表示部に表示させる表示制御手段とを備えたことにある。
【００１８】
上記目的を達成するため、本発明に係る光ディスク装置の第２の特徴は、コンテンツデータとコンテンツデータに関するコンテンツ管理情報とを含むデータを記録するデータエリアと、データを記録する際に用いるレーザパワーのキャリブレーションを行うためのパワーキャリブレーションエリアとを備えた光ディスクから、データ読み出し手段を用いてデータを読み出させ、又はデータ記録手段を用いて光ディスクにデータを記録させる光ディスク装置であって、データ読み出し手段を用いて光ディスクのデータエリアからコンテンツ管理情報を読み出させ、この読み出されたコンテンツ管理情報から少なくともコンテンツ名称を抽出し、この抽出したコンテンツ名称を含む情報を独自コンテンツ情報として生成し、この生成した独自コンテンツ情報をデータ記録手段を用いて光ディスクのパワーキャリブレーションエリアに記録させる独自コンテンツ記録制御手段を備えたことにある。
【００１９】
上記目的を達成するため、本発明に係る光ディスク装置の第３の特徴は、光ディスクを検出した場合に、データ読み出し手段を用いて光ディスクのパワーキャリブレーションエリアに最後に記録された情報を読み出させ、この読み出された情報が独自コンテンツ情報であるか否かを判定する独自コンテンツ判定手段とを更に備え、独自コンテンツ記録制御手段は、独自コンテンツ判定手段により、読み出された情報が独自コンテンツ情報ではないと判定された場合に、データ読み出し手段を用いて光ディスクのデータエリアからコンテンツ管理情報を読み出させ、この読み出されたコンテンツ管理情報から少なくともコンテンツ名称を抽出して、この抽出したコンテンツ名称を含む情報を独自コンテンツ情報として生成し、この生成された独自コンテンツ情報をデータ記録手段を用いて光ディスクのパワーキャリブレーションエリアに記録させることにある。
【００２０】
上記目的を達成するため、本発明に係る光ディスク装置の第４の特徴は、コンテンツデータとコンテンツデータに関するコンテンツ管理情報とを含むデータを記録するデータエリアと、データを記録する際に用いるレーザパワーのキャリブレーションを行うためのパワーキャリブレーションエリアとを備えた光ディスクから、データ読み出し手段を用いてデータを読み出させ、又はデータ記録手段を用いて光ディスクにデータを記録させる光ディスク装置であって、データ読み出し手段を用いて光ディスクのデータエリアからコンテンツ管理情報を読み出させ、この読み出されたコンテンツ管理情報から少なくともコンテンツ名称を抽出して、抽出したコンテンツ名称を含む情報を独自コンテンツ情報として生成し、この生成した独自コンテンツ情報をデータ記録手段を用いて光ディスクのパワーキャリブレーションエリアに記録させる独自コンテンツ記録制御手段と、光ディスクを検出した場合に、データ読み出し手段を用いて光ディスクのパワーキャリブレーションエリアに最後に記録された情報を読み出させ、この読み出された情報が独自コンテンツ情報であるか否かを判定する独自コンテンツ判定手段と、独自コンテンツ判定手段により、読み出された情報が独自コンテンツ情報であると判定された場合、独自コンテンツ情報を表示部に表示させる表示制御手段とを備えたことにある。
【００２１】
上記目的を達成するため、本発明に係る光ディスクの特徴は、コンテンツデータとコンテンツデータに関するコンテンツ管理情報と含むデータを記録するデータエリアと、データを記録する際に用いるレーザパワーのキャリブレーションを行うためのパワーキャリブレーションエリアとを備え、パワーキャリブレーションエリアには、コンテンツ管理情報のうち少なくともコンテンツデータのコンテンツ名称を含む独自コンテンツ情報が記録されていることを特徴とする。
【発明の効果】
【００２２】
本発明に係る光ディスク装置、及び光ディスクによれば、他の光ディスク装置との互換性を保ちつつ、光ディスクが挿入された場合に、この光ディスクに記録されたコンテンツデータの内容を迅速かつ正確に表示することができる。
【発明を実施するための最良の形態】
【００２３】
以下、本発明を実施するための最良の形態について図面を参照して説明する。
【００２４】
本発明を実施するための一実施形態である光ディスク装置は、少なくともデータエリアとパワーキャリブレーションエリア（以下、ＰＣＡという）とを備えた光ディスクが挿入された場合に、このＰＣＡに記録されたコンテンツタイトルをコンテンツ情報として表示部に表示させる。ここで、コンテンツデータとは、映像データ及び／又は音声データを含むデータのことであり、ＰＣＡは、光ディスクのパワーキャリブレーションを行うために設けられた記録エリアである。
【００２５】
≪光ディスク装置の構成≫
図１は、本実施形態の光ディスク装置の構成を示す構成図である。なお、図１では、説明のため、光ディスクが挿入された状態の本実施形態の光ディスク装置を示している。
【００２６】
図１に示すように、本実施形態の光ディスク装置１は、スピンドルモータ２と、ピックアップ３と、増幅器４と、復調器５と、レーザ駆動部６と、変調器７と、パワー制御部８と、サーボ回路９と、暗号化処理部１０と、操作部１１と、ローディング部１２と、システム制御部１３と、表示部１４とを備えている。
【００２７】
スピンドルモータ２は、光ディスク１００を回転させる。
【００２８】
ピックアップ３は、レーザダイオードを備え、このレーザダイオードから出射されるレーザ光により、回転された光ディスク１００からのデータの読み出しと、光ディスク１００へのデータの記録を行う。
【００２９】
ここで、光ディスク１００は、コンテンツデータとコンテンツデータに関するコンテンツ管理情報とを備えたデータを記録するデータエリアと、データを記録する際に用いるレーザパワーのキャリブレーションを行うためのＰＣＡとを備えている。そして、このＰＣＡに、後述する独自コンテンツ情報を記録する。
【００３０】
増幅器４は、ピックアップ３により読み取られたデータを増幅する。
【００３１】
復調器５は、増幅器４により増幅されたデータを復調する。
【００３２】
レーザ駆動部６は、ピックアップ３のレーザダイオードを駆動する。
【００３３】
変調器７は、システム制御部１３から供給されたデータを変調する。
【００３４】
パワー制御部８は、変調器７により変調されたデータの変調信号、又はシステム制御部１３からの制御信号に基づいてレーザ駆動部６を制御する。
【００３５】
サーボ回路９は、復調器５から得られるアドレス情報とピックアップ３から得られるフォーカスエラー信号やトラッキングエラー信号に基づいてスピンドルモータ２の回転制御とピックアップ３のフォーカス・トラッキング・スライド制御を行う。
【００３６】
暗号化処理部１０は、必要に応じてシステム制御部１３から供給されるコンテンツデータを暗号化し、この暗号化した暗号化コンテンツデータをシステム制御部１３へ供給する。
【００３７】
操作部１１は、例えばリモートコントローラ等で構成され、利用者の操作による操作信号をシステム制御部１３へ供給する。
【００３８】
ローディング部１２は、光ディスク１００のローディングやイジェクトを行う。
【００３９】
システム制御部１３は、データ転送と、外部機器との通信、及び光ディスク装置１全体の中枢的な制御を行い、その機能上、独自コンテンツ記録制御手段１３ａと、独自コンテンツ判定手段１３ｂと、表示制御手段１３ｃとを備える。
【００４０】
システム制御部１３の独自コンテンツ記録制御手段１３ａは、コンテンツ管理情報のうち少なくともコンテンツ名称を独自コンテンツ情報として、ピックアップ３を用いて光ディスク１００のパワーキャリブレーションエリアに記録させる。
【００４１】
システム制御部１３の独自コンテンツ判定手段１３ｂは、光ディスク１００が挿入されたことを検出した場合に、ピックアップ３を用いて光ディスク１００のパワーキャリブレーションエリアに最後に記録されたデータを読み出させ、この読み出されたデータが後述する独自コンテンツ情報であるか否かを判定する。
【００４２】
システム制御部１３の表示制御手段１３ｃは、独自コンテンツ判定手段１３ｂにより独自コンテンツ情報であると判定された場合に、その独自コンテンツ情報を表示部１４に表示させる。
【００４３】
表示部１４は、例えば液晶ディスプレイで構成され、システム制御部１３からの制御信号に基づいてデータを表示する。
【００４４】
入出力インタフェース１５は、外部接続機器との接続インタフェースであり、例えば、外部接続機器である放送受信装置から入力信号としてコンテンツデータを入力し、また、外部接続機器であるコンテンツ記録装置へ出力信号としてコンテンツデータを出力する。
【００４５】
≪光ディスク装置の作用≫
以下に、本実施形態の光ディスク装置１の作用について説明する。
【００４６】
光ディスク装置１は、独自コンテンツ情報の記録処理、及び独自コンテンツ情報の表示処理を行う。そのため、以下に独自コンテンツ情報記録処理、及び独自コンテンツ情報表示処理について詳細に説明する。
【００４７】
＜独自コンテンツ情報記録処理＞
光ディスク装置１の独自コンテンツ情報記録処理について、図２を参照して説明する。
【００４８】
図２は、光ディスク装置１の独自コンテンツ情報記録処理の処理手順を示したフローチャートである。
【００４９】
まず、システム制御部１３は、利用者の操作によって操作部１１からコンテンツデータの記録要求信号が供給されると（ステップＳ１０１）、コンテンツデータに含まれる複製制御情報に基づいて、コンテンツデータの暗号化が必要か否かを判定する（ステップＳ１０３）。
【００５０】
そして、システム制御部１３は、コンテンツデータの暗号化が必要と判定した場合、暗号化処理部１０が、システム制御部１３から供給されたコンテンツデータを暗号化し、暗号化した暗号化コンテンツデータをシステム制御部１３へ供給する（ステップＳ１０５）。
【００５１】
次に、システム制御部１３は、パワーキャリブレーションを行う（ステップＳ１０７）。具体的には、システム制御部１３は、コンテンツデータ、又はステップＳ１０５において暗号化された暗号化コンテンツデータを変調器７へ供給し、変調器７は供給されたコンテンツデータ、又は暗号化コンテンツデータを光ディスク１００に固有の変調方式になるように変調する。そして、パワー制御部８が光ディスク１００へ最適な状態で記録することができるようにレーザ光の出力を調整する。そして、レーザ駆動部６は、ピックアップ３から出射されるレーザ光がパワー制御部８により調整された最適な出力値でレーザダイオードを駆動する。ピックアップ３は、レーザ光を出射し、この出射されたレーザ光が光ディスク１００の表面で小さなスポットとなるようフォーカスする。
【００５２】
次に、システム制御部１３は、光ディスク１００のデータ記録領域にコンテンツデータを記録する（ステップＳ１０９）。
【００５３】
そして、システム制御部１３は、アプリケーションフォーマットで規定されるコンテンツ管理情報を生成し、生成したコンテンツ管理情報をファイルとして光ディスク１００のデータ記録領域に記録する（ステップＳ１１１）。
【００５４】
次に、システム制御部１３の独自コンテンツ記録制御手段１３ａは、独自コンテンツ情報を光ディスク１００のＰＣＡに記録する（ステップＳ１１３）。具体的には、コンテンツ管理情報に含まれるコンテンツの内容に関する情報を独自コンテンツ情報に含め、ピックアップ３を用いて光ディスク１００のＰＣＡに記録させる。ここでは、コンテンツ管理情報からコンテンツ名称を独自コンテンツ情報に含めて、これを光ディスク１００のＰＣＡに記録する。
【００５５】
図３は、光ディスク１００のＰＣＡに記録された独自コンテンツ情報の一例を示した図である。
【００５６】
図３に示すように、独自コンテンツ情報は、マジックナンバー３０１と、ローカル識別番号３０２と、コンテンツ数３０３と、最終更新日時３０４と、コンテンツ名３０５と、チェックサム３０６とを含んでいる。
【００５７】
マジックナンバー３０１は、光ディスク装置１により、光ディスク１００のＰＣＡに独自コンテンツ情報が記録されていることを示す。
【００５８】
ローカル識別番号３０２は、光ディスク１００の製造時に個々に割り当てられた識別番号である。
【００５９】
コンテンツ数３０３は、光ディスク１００に記録されているコンテンツデータの数を示す。
【００６０】
最終更新日時３０４は、光ディスク１００にコンテンツデータが記録された最終日時を示す。例えば１９７０年１月１日０時を基準時として、この時刻からの経過した秒数として最終日時が記録される。
【００６１】
コンテンツ名３０５は、光ディスク１００に記録されているコンテンツデータのコンテンツ名称を示す。
【００６２】
チェックサム３０６は、誤り検出のための数値であり、例えば、コンテンツデータを分割し、分割されたそれぞれのブロック内のコンテンツデータを数値とみなして合計を取ったものが用いられる。
【００６３】
また、図２のステップＳ１０１において、コンテンツデータの記録要求信号が供給されていないときには、システム制御部１３の独自コンテンツ判定手段１３ｂは、光ディスク１００のＰＣＡに最後に記録されたデータがキャリブレーションデータか、又は独自コンテンツ情報かを判定する（ステップＳ１１５）。
【００６４】
光ディスク装置１及び従来技術の光ディスク装置では、通常、光ディスク１００へのコンテンツデータの記録処理を行う前に、パワーキャリブレーションを行う。そのため、システム制御部１３の独自コンテンツ判定手段１３ｂは、光ディスク１００のＰＣＡに最後に記録されたデータがキャリブレーションデータか、又は独自コンテンツ情報かを判定することによって、光ディスク１００に最後に記録されたのが、光ディスク装置１によるものか、又は従来技術の光ディスク装置によるものかを判定する。例えば、ＰＣＡに最後に記録されたデータが独自コンテンツ情報である場合、光ディスク１００に最後に記録されたのが、光ディスク装置１によるものであるので、光ディスク１００に記録された独自コンテンツ情報と光ディスク１００に記録されたコンテンツデータの内容とが一致していると判定する。一方、ＰＣＡに最後に記録されたデータがキャリブレーションデータである場合、光ディスク１００に最後に記録されたのは、従来技術の光ディスク装置によるものであるので独自コンテンツ情報が存在しないと判定する。
【００６５】
ここで、光ディスク１００が追記型である場合、ＰＣＡについても、その領域の先頭からデータが追記される。そのため、システム制御部１３は、ＰＣＡの中で最後尾に記録されているデータをＰＣＡに最後に記録されたデータとして読み出し、読み出したデータがキャリブレーションデータか、又は独自コンテンツ情報かを判定する。
【００６６】
そして、ステップＳ１１５において、ＰＣＡに最後に記録されたデータがキャリブレーションデータであると判定した場合には、光ディスク１００に最後に記録されたコンテンツデータは従来技術の光ディスク装置により記録されたものであるので、処理をステップＳ１１７へ移行する。
【００６７】
次に、システム制御部１３は、パワーキャリブレーションを行った後（ステップＳ１１７）、処理をステップＳ１１３に移行し、システム制御部１３の独自コンテンツ記録制御手段１３ａが、独自コンテンツ情報を光ディスク１００のＰＣＡに記録させる。具体的には、独自コンテンツ記録制御手段１３ａは、光ディスク１００に記録されたコンテンツ管理情報を読み出し、読み出したコンテンツ管理情報に基づいてコンテンツ名称を含む独自コンテンツ情報を生成し、生成した独自コンテンツ情報を光ディスク１００のＰＣＡに記録する。
【００６８】
一方、ステップＳ１１５において、ＰＣＡに最後に記録されているデータが独自コンテンツ情報であると判定した場合は、光ディスク装置１により光ディスク１００にコンテンツデータが記録されているので、光ディスク１００に記録されたコンテンツデータの内容と、ＰＣＡに記録された独自コンテンツ情報の内容とが一致していると判定し、処理を終了する。
【００６９】
以上のように、本実施形態の光ディスク装置１によれば、独自コンテンツ情報記録処理により、光ディスク１００のＰＣＡにこの光ディスク１００に記録されたコンテンツデータの名称を含む独自コンテンツ情報を記録することができる。
【００７０】
＜独自コンテンツ情報表示処理＞
本実施形態の光ディスク装置１における独自コンテンツ情報表示処理について、図４を参照して説明する。
【００７１】
図４は、光ディスク装置１の独自コンテンツ情報表示処理の処理手順を示したフローチャートである。
【００７２】
まず、光ディスク装置１に光ディスク１００が挿入さたことが検出されると、システム制御部１３は、挿入された光ディスク１００の物理フォーマットを特定する（ステップＳ２０１）。具体的には、システム制御部１３は、ピックアップ３、増幅器４，復調器５、レーザ駆動部６、変調器７、パワー制御部８、サーボ回路９、及びスピンドルモータ２を動作させることによって、光ディスク１００の反射率等の物理特性、及び光ディスク１００の記録面に記録されたビットの再生信号等から光ディスク１００の物理フォーマットを特定する。
【００７３】
次に、システム制御部１３は、自装置である光ディスク装置１がステップＳ２０１において特定された光ディスク１００に対応するアプリケーションフォーマットをサポートしているか否かを判定する（ステップＳ２０３）。
【００７４】
システム制御部１３の表示制御手段１３ｃは、ステップＳ２０３において、光ディスク装置１が光ディスク１００に対応するアプリケーションフォーマットをサポートしていないと判定した場合、表示部１４に光ディスク１００の入れ替えを促す表示画面を表示させる（ステップＳ２２５）。
【００７５】
一方、ステップＳ２０３において、光ディスク装置１が光ディスク１００に対応するアプリケーションフォーマットをサポートしていると判定した場合、システム制御部１３の独自コンテンツ判定手段１３ｂは、光ディスク１００のＰＣＡに最後に記録されたデータが独自コンテンツ情報であるか否かを判定する（ステップＳ２０５）。
【００７６】
さらに、独自コンテンツ判定手段１３ｂは、ＰＣＡに最後に記録されたデータが独自コンテンツ情報である場合、光ディスク１００に最後に記録されたのが、光ディスク装置１によるものであるので、光ディスク１００に記録された独自コンテンツ情報と光ディスク１００に記録されたコンテンツデータの内容とが一致していると判定する。一方、ＰＣＡに最後に記録されたデータがキャリブレーションデータである場合、光ディスク１００に最後に記録されたのが、従来技術の光ディスク装置によるものであるので独自コンテンツ情報が存在しないと判定する。
【００７７】
ステップＳ２０５において、光ディスク１００のＰＣＡに最後に記録されたデータが独自コンテンツ情報ではないと判定した場合、システム制御部１３は、アプリケーションフォーマットの候補を１つ選択する（ステップＳ２０７）。アプリケーションフォーマットが複数ある場合には、任意のアプリケーションフォーマットを１つ選択する。
【００７８】
次に、システム制御部１３は、光ディスク１００からステップＳ２０７において選択したアプリケーションフォーマットに対応するファイル管理情報を読み出す（ステップＳ２０９）。ここで、光ディスク１００には、コンテンツデータのファイルの他に、このコンテンツデータのファイルがどの様に光ディスク１００に記録されているか、即ち光ディスク１００の論理フォーマットを示すファイル管理情報のファイルが記録されている。そこで、システム制御部１３は、光ディスク１００からこのファイル管理情報を読み出す。
【００７９】
そして、システム制御部１３は、ステップＳ２０９において読み出したファイル管理情報が適正か否かを判定する（ステップＳ２１１）。具体的には、システム制御部１３は、光ディスク１００の論理フォーマットが、ステップＳ２０９において読み出したファイル管理情報によって定められる論理フォーマットに即しているか否かを判定する。
【００８０】
ステップＳ２１１において、ファイル管理情報が適正ではないと判定された場合、ステップＳ２２３では、ステップＳ２０７に処理を戻し、次にアプリケーションフォーマットの候補を１つ選択させ、ステップＳ２０９、Ｓ２１１の確認処理を繰り返し実行させる。そして、全てのアプリケーションフォーマットを確認しても対応するファイル管理情報が示す論理フォーマットが光ディスク１００の論理フォーマットに即していなかった場合、システム制御部１３の表示制御手段１３ｃは、表示部１４に光ディスク１００の入れ替えを促す表示画面を表示させる（ステップＳ２２５）。
【００８１】
ステップＳ２１１において、ファイル管理情報が適正である、即ち、光ディスク１００の論理フォーマットが、読み出したファイル管理情報によって定められる論理フォーマットに即していると判定された場合には、システム制御部１３は、光ディスク１００にコンテンツ管理情報ファイルが記録されているか否かを判定する。（ステップＳ２１３）。コンテンツ管理情報ファイルとは、コンテンツデータに関する情報であり、コンテンツデータのコンテンツ名称、コンテンツデータの再生所要時間、及びコンテンツデータが記録された日時等コンテンツデータの内容に関する情報の他、特殊再生で使用される映像音声の０．５秒単位の論理位置情報等コンテンツデータを管理するための情報を含んでいる。
【００８２】
そして、ステップＳ２１３において、光ディスク１００にコンテンツ管理情報ファイルが記録されていないと判定した場合は、システム制御部１３は、表示部１４にコンテンツ管理情報ファイルが記録されていないことを示す表示画面を表示させる（ステップＳ２１４）。
【００８３】
一方、ステップＳ２１３において、光ディスク１００にコンテンツ管理情報ファイルが記録されていると判定した場合は、光ディスク１００からコンテンツ管理情報ファイルを読み出す（ステップＳ２１５）。
【００８４】
そして、システム制御部１３は、ステップＳ２１５において読み出したコンテンツ管理情報ファイルの中から、光ディスク１００に記録されたコンテンツデータのコンテンツ情報としてコンテンツ名称を抽出する（ステップＳ２１７）。
【００８５】
次に、システム制御部１３は、ステップＳ２１５において読み出したコンテンツ管理情報ファイルが適正であるか否かを判定する（ステップＳ２１９）。
【００８６】
ステップＳ２１９において、コンテンツ管理情報ファイルが適正ではないと判定した場合には、システム制御部１３の表示制御手段１３ｃは、表示部１４に光ディスク１００の入れ替えを促す表示画面を表示させる（ステップＳ２２５）。
【００８７】
一方、ステップＳ２１９において、コンテンツ管理情報ファイルが適正であると判定した場合には、システム制御部１３の表示制御手段１３ｃは、ステップＳ２１７においてコンテンツ情報として抽出したコンテンツ名称を表示部１４に表示させる（ステップＳ２２１）。
【００８８】
このように、ステップＳ２０５において、光ディスク１００のＰＣＡに最後に記録されたデータが独自コンテンツ情報ではないと判定した場合、システム制御部１３は、ステップＳ２０７〜Ｓ２１９までの処理を行い、コンテンツ情報としてコンテンツ名称を表示部１４に表示する。
【００８９】
一方、ステップＳ２０５において、光ディスク１００のＰＣＡに最後に記録されたデータが独自コンテンツ情報であると判定した場合、システム制御部１３は、この独自コンテンツ情報を読み出し、読み出した独自コンテンツ情報からコンテンツ情報としてコンテンツ名称を取得する（ステップＳ２２７）。
【００９０】
そして、システム制御部１３は、ステップＳ２２７において取得したコンテンツ名称をコンテンツ情報として表示部１４に表示させる（ステップＳ２２１）。
【００９１】
このように、ステップＳ２０５において、光ディスク１００のＰＣＡに最後に記録されたデータが独自コンテンツ情報であると判定した場合、システム制御部１３は、ステップＳ２０７〜Ｓ２１９までの処理を行うことなく、コンテンツ情報としてコンテンツ名称を表示部１４に表示させることができる。
【００９２】
以上にように、本実施形態の光ディスク装置１によれば、光ディスク１００が挿入された場合に、独自コンテンツ情報に基づいてコンテンツ名称をコンテンツ情報として表示部１４に表示するので、従来と比較して速やかにコンテンツ名称を表示部１４に表示することができる。これにより、利用者は、沢山の光ディスクの中から視聴したい光ディスクを探したい場合、ストレスを感じることなく、目的の光ディスクを素早く探し出すことができる。
【００９３】
なお、本実施形態の光ディスク装置１は、従来技術である光ディスク装置と高い互換性を有する。具体的には、光ディスク１００のＰＣＡは、本実施形態の光ディスク装置１、又は従来技術である光ディスク装置を問わず、パワーキャリブレーションを行うために用いられる記録領域であるため、本実施形態の光ディスク装置１により光ディスク１００のＰＣＡに独自コンテンツ情報が記録されたとしても、従来技術における光ディスク装置で再生する際、何ら障害を与えるものではなく、通常通り再生することが可能である。
【００９４】
また、本実施形態の光ディスク装置１は、光ディスク１００のＰＣＡに最後に記録されたデータが独自コンテンツ情報であるか否かを判定し、その判定結果によって、独自コンテンツ情報、又はコンテンツ管理情報からコンテンツ情報としてコンテンツ名称を抽出し、表示部１４に表示するので、従来技術である光ディスク装置においてコンテンツデータが記録された光ディスクであっても、当然に再生可能である。
【００９５】
なお、本実施形態の光ディスク装置１では、コンテンツ情報としてコンテンツ名称を表示部１４に表示したが、表示するコンテンツ情報はこれに限らない。例えば、コンテンツ管理情報ファイルの中から、コンテンツデータが光ディスク１００に記録された日時、コンテンツデータのコンテンツ内容を詳細に説明したコンテンツ詳細情報等を独自コンテンツ情報に含めて光ディスク１００のＰＣＡに記録しておき、本実施形態の光ディスク装置１に光ディスク１００が挿入された場合に、独自コンテンツ情報に基づいてこれらの情報をコンテンツ情報として表示部１４に表示するようにしてもよい。
【図面の簡単な説明】
【００９６】
【図１】本実施形態の光ディスク装置の構成を示す構成図である。
【図２】本実施形態の光ディスク装置の独自コンテンツ情報記録処理の処理手順を示したフローチャートである。
【図３】光ディスクのＰＣＡに記録させた独自コンテンツ情報の一例を示した図である。
【図４】本実施形態の光ディスク装置の独自コンテンツ情報表示処理の処理手順を示したフローチャートである。
【図５】ＤＶＤにおける各種フォーマット情報を説明した図である。
【符号の説明】
【００９７】
１…光ディスク装置
２…スピンドルモータ
３…ピックアップ
４…増幅器
５…復調器
６…レーザ駆動部
７…変調器
８…パワー制御部
９…サーボ回路
１０…暗号化処理部
１１…操作部
１２…ローディング部
１３…システム制御部
１３ａ…独自コンテンツ記録制御手段
１３ｂ…独自コンテンツ判定手段
１３ｃ…表示制御手段
１４…表示部
１００…光ディスク
【図１】
2009070447.tif 000003
【図２】
2009070447.tif 000004
【図３】
2009070447.tif 000005
【図４】
2009070447.tif 000006
【図５】
2009070447.tif 000007